(57)【要約】【課題】湿式電子写真方式の画像形成装置で発生するキャリア蒸気に含まれたオゾンを触媒フィルタで捕集して，経済的かつ効率的な方法で除去するためのオゾン除去ユニットおよびこれを備えた湿式電子写真方式の画像形成装置を提供することである。【解決手段】本発明によれば，オゾンを含む化合物ガスが発生する設備システムに設けられ，オゾンを分解除去するための触媒フィルタ３３１と，触媒フィルタを保持するホルダ部材３３７と，上記の化合物ガスが触媒フィルタを通過するよう誘導する誘導ファン３３５と，上記の化合物ガスを加熱する複数の単位ヒータ３０１とバンドヒータ３０５からなる加熱手段と，オゾンが除去された化合物ガスを冷却させる冷却手段３５０とを含む，オゾン除去ユニット２７０およびこれを備えた湿式電子写真方式の画像形成装置２００が提供される。【選択図】図２
2005324191.tif 000002
【特許請求の範囲】
【請求項１】
オゾンを含む化合物ガスを発生させる設備システムに設けられ，
前記オゾンを分解除去するための触媒フィルタと；
前記触媒フィルタを保持するホルダ部材と；
前記化合物ガスが前記触媒フィルタを通過するよう誘導する誘導ファンと；
前記化合物ガスを加熱する加熱手段と；
を備えることを特徴とする，オゾン浄化ユニット。
【請求項２】
前記加熱手段は，前記化合物ガスが前記触媒フィルタへ流入する方向を基準として，前記触媒フィルタの上流に設けられた複数の単位ヒータであることを特徴とする，請求項１に記載のオゾン浄化ユニット。
【請求項３】
前記複数の単位ヒータが，ウェブ状に配設されることを特徴とする，請求項２に記載のオゾン浄化ユニット。
【請求項４】
前記複数の単位ヒータが，蜂巣状に配設されることを特徴とする，請求項２に記載のオゾン浄化ユニット。
【請求項５】
前記加熱手段は，前記触媒フィルタの周囲の一部もしくは全体を覆うように設けられたバンドヒータをさらに含むことを特徴とする，請求項２に記載のオゾン浄化ユニット。
【請求項６】
前記バンドヒータの一部もしくは全体を覆うように配設される断熱部材をさらに含むことを特徴とする，請求項５に記載のオゾン浄化ユニット。
【請求項７】
前記触媒フィルタを通過した前記化合物ガスから出る熱を冷却するための冷却手段をさらに含むことを特徴とする，請求項１に記載のオゾン浄化ユニット。
【請求項８】
感光媒体に静電潜像を形成するための帯電ユニットと；
前記感光媒体に現像液を供給する現像ユニットと；
前記感光媒体に現像された前記現像液を印刷媒体に転写する転写ユニットと；
前記転写された現像液を前記印刷媒体に定着させる定着ユニットと；
前記定着ユニットで発生したキャリア蒸気を酸化分解する酸化触媒ユニットと；
前記帯電ユニットで発生したオゾンを触媒フィルタを用いて分解除去するためのオゾン浄化ユニットと；
を備えることを特徴とする，湿式電子写真方式の画像形成装置。
【請求項９】
前記オゾン浄化ユニットは，前記触媒フィルタを保持するホルダ部材と，前記化合物ガスが前記触媒フィルタを通過するよう誘導する誘導ファンと，前記化合物ガスを加熱する加熱手段とを含むことを特徴とする，請求項８に記載の湿式電子写真方式の画像形成装置。
【請求項１０】
前記加熱手段は，前記化合物ガスが前記触媒フィルタへ流入する方向を基準として，前記触媒フィルタの上流に設けられた複数の単位ヒータであることを特徴とする，請求項９に記載の湿式電子写真方式の画像形成装置。
【請求項１１】
前記複数の単位ヒータが，ウェブ状に配設されることを特徴とする，請求項１０に記載の湿式電子写真方式の画像形成装置。
【請求項１２】
前記複数の単位ヒータが，蜂巣状に配設されることを特徴とする，請求項１０に記載の湿式電子写真方式の画像形成装置。
【請求項１３】
前記加熱手段は，前記触媒フィルタの周囲を一部もしくは全体を覆うよう設けられたバンドヒータをさらに含むことを特徴とする，請求項１０に記載の湿式電子写真方式の画像形成装置
【請求項１４】
前記バンドヒータの一部もしくは全体を覆うように配設される断熱部材をさらに含むことを特徴とする，請求項１３に記載の湿式電子写真方式の画像形成装置。
【請求項１５】
前記触媒フィルタを通過した前記化合物ガスから出る熱を冷却するための冷却手段をさらに含むことを特徴とする，請求項８に記載の湿式電子写真方式の画像形成装置。
【発明の詳細な説明】
【技術分野】
【０００１】
本発明はオゾンを除去するためのオゾン浄化ユニットおよびこれを備えた湿式電子写真方式の画像形成装置に関する。
【背景技術】
【０００２】
プリンタ，複合機のような湿式電子写真方式の画像形成装置は，周知のように，感光ベルトや感光ドラムのような感光媒体にレーザビームを走査してイメージ形態の静電潜像を形成し，該静電潜像に現像液が付着されて形成された可視画像を印刷媒体に転写し装着することで，所望の画像を得る印刷装置である。
【０００３】
湿式電子写真方式の画像形成装置の一例として，図１を参照すれば，湿式電子写真方式の画像形成装置は，本体１１０の内部に設けられた複数の感光ドラム１２１，１２２，１２３，１２４にそれぞれ静電潜像を形成するための帯電ユニット１３１，１３２，１３３，１３４と，露光ユニット１４１，１４２，１４３，１４４と，静電潜像に現像液を塗布し現像するための現像ユニット１５１，１５２，１５３，１５４と，印刷媒体Ｐに現像イメージを転写するための転写ベルト１６０，第１転写ローラ１７１，１７２，１７３，１７４および第２転写ローラ１８０と，印刷媒体Ｐに転写したイメージ画像を熱圧着して定着するための定着ユニット１９０，および印刷過程で発生するキャリア蒸気を浄化するための酸化触媒ユニット１９５等で構成される。
【０００４】
上記の構成のような湿式電子写真方式の画像形成装置１００において，印刷過程で現像ユニット１５１，１５２，１５３，１５４と定着ユニット１９０で発生するキャリア蒸気と，帯電ユニット１３１，１３２，１３３，１３４の放電によって発生するオゾン（Ｏ３）とが混合されることとなる。
【０００５】
既存の湿式電子写真方式の画像形成装置１００は，酸化触媒ユニット１９５によって内部に発生したキャリア蒸気を浄化しているが，湿式電子写真方式の画像形成装置１００の内部全体に発生するキャリア蒸気を浄化するためには，高価な酸化分解触媒を大量に必要とする。即ち，既存湿式電子写真方式の画像形成装置１００は，密閉部材１９８内のキャリア蒸気Ｃの濃度が極めて低く処理する必要がないにもかかわらず，キャリア蒸気Ｃに含まれたオゾンを除去するために，矢印Ａの方向に，オゾンが含まれたキャリア蒸気Ｃを吸入通路１９６により移動させ，キャリア蒸気Ｃを酸化触媒ユニット１９５の内部に吸入する。吸入されたオゾンが含まれたキャリア蒸気Ｃは，定着ユニット１９０で発生した高濃度のキャリア蒸気Ｂと混合されることとなる。
【０００６】
酸化分解触媒は高温で反応するため，オゾンは酸化触媒ユニット１９５で熱分解されることとなる。
【０００７】
従って，高濃度のキャリア蒸気Ｂのみを処理するときよりも相対的に大量のキャリア蒸気（Ｂ＋Ｃ）を，酸化触媒ユニット１９５が処理することになる。
【発明の開示】
【発明が解決しようとする課題】
【０００８】
しかしながら，上記の酸化触媒ユニットに含まれた酸化分解触媒と大量のキャリア蒸気とが充分な時間反応するためには，酸化分解触媒が広い面積にわたって分布していることが必要となる。このため，酸化分解触媒が大量に必要となり，コストが上昇するという問題があった。
【０００９】
一方，オゾンを除去する一般的な方法として，常温でオゾン分解能力の優れた触媒を利用する方法が広く知られているが，湿式電子写真方式の画像形成装置では，キャリア蒸気が凝縮し上記の触媒表面に付着することにより，触媒の性能や寿命を低下させるという問題点があり，湿式電子写真方式の画像形成装置への適用は困難であった。
【００１０】
そこで，本発明は，このような問題に鑑みてなされたもので，その目的は，湿式電子写真方式の画像形成装置で発生するキャリア蒸気に含まれたオゾンを触媒フィルタで捕集して，経済的かつ効率的な方法で除去することが可能な，新規かつ改良されたオゾン除去ユニットおよびこれを備えた湿式電子写真方式の画像形成装置を提供することにある。
【課題を解決するための手段】
【００１１】
上記問題を解決するために，本発明のある観点によれば，オゾンを含む化合物ガスを発生させる設備システムに設けられ，オゾンを分解除去するための触媒フィルタと，触媒フィルタを保持するホルダ部材と，化合物ガスが触媒フィルタを通過するよう誘導する誘導ファンと，化合物ガスを加熱する加熱手段とを備えるオゾン浄化ユニットが提供される。
【００１２】
上記の加熱手段は，例えば，化合物ガスが触媒フィルタに結露することを防ぐために用いることも可能である。
【００１３】
上記の加熱手段は，触媒フィルタの前段，すなわち，化合物ガスが触媒フィルタへ流入する方向を基準として，触媒フィルタの上流に設けられた複数の単位ヒータを用いることが可能である。
【００１４】
また，上記の複数の単位ヒータとして，例えばウェブ状（蜘蛛の巣状）もしくは蜂巣状に配設したものを用いることも可能である。
【００１５】
なお，上記の加熱手段として，例えば触媒フィルタの一部もしくは全体を覆うように設けられたバンドヒータを用いることも可能である。
【００１６】
加えて，上記のバンドヒータの一部もしくは全体を覆うように配設される断熱部材をさらに含むことも可能である。
【００１７】
上記のオゾン浄化ユニットは，触媒フィルタを通過した化合物ガスから出る熱を冷却するための冷却手段をさらに含むことも可能である。
【００１８】
上記課題を解決するために，本発明の別の観点によれば，感光媒体に静電潜像を形成するための帯電ユニットと，感光媒体に現像液を供給する現像ユニットと，感光媒体に現像された現像液を印刷媒体に転写する転写ユニットと，現像液を印刷媒体に定着させる定着ユニットと，定着ユニットとから発生した化合物ガスであるキャリア蒸気を酸化分解する酸化触媒ユニットと，帯電ユニットから発生したオゾンを触媒フィルタにより分解除去するためのオゾン浄化ユニットとを備えた湿式電子写真方式の画像形成装置が提供される。
【００１９】
上記のオゾン浄化ユニットは，触媒フィルタを保持するホルダ部材と，化合物ガスが触媒フィルタを通過するよう流入誘導する誘導ファンと，化合物ガスを加熱する加熱手段とを含むこともできる。
【００２０】
ここで，上記の加熱手段は，例えば，化合物ガスが触媒フィルタに結露することを防ぐために用いることも可能である。
【００２１】
上記の加熱手段として，触媒フィルタの前段，すなわち，化合物ガスが触媒フィルタへ流入する方向を基準として，触媒フィルタの上流に設けられた複数の単位ヒータを用いることも可能である。
【００２２】
また，上記の複数の単位ヒータとして，例えばウェブ状もしくは蜂巣状に配設されたものを用いることも可能である。
【００２３】
加えて，上記の加熱手段は，触媒フィルタの一部もしくは全体を覆うように設けられたバンドヒータをさらに含むことも可能である。
【００２４】
また，上記のバンドヒータの一部もしくは全体を覆うように配設される断熱部材をさらに含むことも可能である。
【００２５】
なお，上記のオゾン浄化ユニットは，触媒フィルタを通過した化合物ガスから出る熱を冷却するための冷却手段をさらに含むことも可能である。
【発明の効果】
【００２６】
以上説明したように，本発明によれば，機器内部の温度上昇を抑制しながら，オゾンを別のオゾン浄化ユニットを用いて分解することで，酸化分解触媒の使用量を減らし，コストを節減することが可能なオゾン浄化ユニットおよびこれを備えた湿式電子写真方式の画像形成装置を提供することができる。
【発明を実施するための最良の形態】
【００２７】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２８】
図２は，本発明に係る湿式電子写真方式の画像形成装置の一実施形態を示した概略図である。図２を参照すれば，湿式電子写真方式の画像形成装置２００は，露光ユニット２１１，２１２，２１３，２１４，感光ドラム２２１，２２２，２２３，２２４，帯電ユニット２２６，２２７，２２８，２２９，現像ユニット２３１，２３２，２３３，２３４，転写ユニット２４０，定着ユニット２５０，酸化触媒ユニット２６０，オゾン浄化ユニット２７０等で構成される。
【００２９】
上記の複数の露光ユニット２１１，２１２，２１３，２１４は，帯電ユニット２２６，２２７，２２８，２２９によって一定の電位に帯電された各感光ドラム２２１，２２２，２２３，２２４の表面に，レーザビームを走査する。
【００３０】
感光媒体である各感光ドラム２２１，２２２，２２３，２２４の表面には，光導電性感光層がコーティングされており，レーザビームが走査された感光ドラム２２１，２２２，２２３，２２４の表面には電位差が発生し，静電潜像が形成される。
【００３１】
上記の現像ユニット２３１，２３２，２３３，２３４は，感光ドラム２２１，２２２，２２３，２２４それぞれに現像液を供給する。各現像ユニット２３１，２３２，２３３，２３４は，互いに異なる色相の現像液，例えばイエロー，マゼンタ，シアンおよびブラックの現像液を貯留し，各感光ドラム２２１，２２２，２２３，２２４の表面に静電潜像が形成されると，各色相の現像液を感光ドラム２２１，２２２，２２３，２２４に供給する。
【００３２】
これにより，各感光ドラム２２１，２２２，２２３，２２４の表面には，現像液による可視画像が形成されることとなる。ここで，現像液は，例えば静電潜像を現像するトナーと，トナーの移動を容易にする液相のキャリアとで構成されることができる。
【００３３】
上記の転写ユニット２４０は，各感光ドラム２２１，２２２，２２３，２２４に形成された可視画像を印刷媒体Ｐに転写するためのもので，転写ベルト２４１と，第１転写ローラ２４２，２４３，２４４，２４５，および第２転写ローラ２４６とを含んでいる。転写ベルト２４１は，図２に示すように，各感光ドラム２２１，２２２，２２３，２２４の表面に接して走行しながら可視画像の転写を受ける。
【００３４】
また，複数の第１転写ローラ２４２，２４３，２４４，２４５は，各感光ドラム２２１，２２２，２２３，２２４に対応して設けられ，各感光ドラム２２１，２２２，２２３，２２４の表面に形成された可視画像を転写ベルト２４１に転写する。この結果，転写ベルト２４１には，イエロー，マゼンタ，シアンおよびブラックの４色可視画像が重なったカラー画像が形成される。
【００３５】
第２転写ローラ２４６は，転写ベルト２４１に形成されたカラー画像を印刷媒体Ｐに転写する。定着ユニット２５０は，印刷媒体Ｐに熱と圧力を加えて印刷媒体Ｐに転写されたカラー画像を印刷媒体Ｐに固着させる。この定着過程で液相のキャリアが蒸発するときに，キャリア蒸気Ｇが発生する。
【００３６】
酸化触媒ユニット２６０は，定着ユニット２５０で発生するキャリア蒸気Ｇを浄化する役割を果たす。
【００３７】
オゾン浄化ユニット２７０は，帯電ユニット２２６，２２７，２２８，２２９から放電によって発生するオゾンを分解する。定着ユニット２５０で発生する高濃度のキャリア蒸気Ｇは，酸化触媒ユニット２６０で浄化され，現像ユニット２３１，２３２，２３３，２３４における低濃度のキャリア蒸気Ｄに含まれたオゾンは，オゾン浄化ユニット２７０によって除去されるため，極めて少量の酸化分解触媒だけが用いられることとなる。
【００３８】
図３は，図２のオゾン浄化ユニット２７０を示す概略図である。図３を参照すれば，オゾン浄化ユニット２７０は，ホルダ部材３３７，誘導ファン３３５，加熱手段である単位ヒータ３０１とバンドヒータ３０５，および冷却手段３５０で構成される。
【００３９】
ホルダ部材３３７は，湿式電子写真方式の画像形成装置２００（図２参照）のエンジン部（図示せず）を区画するため設けられた密閉部材２９８（図２参照）に内外通路を形成し，誘導ファン３３５および加熱手段である単位ヒータ３０１，バンドヒータ３０５を保持する。
【００４０】
上記の誘導ファン３３５は，オゾンが含まれているキャリア蒸気Ｄを触媒フィルタ３３１に吸入誘導する役割を果たす。
【００４１】
上記の加熱手段は，触媒フィルタ３３１にキャリア蒸気Ｄが結露して，触媒フィルタ３３１の性能を悪化させ，寿命を著しく短縮させるのを防ぐためのもので，触媒フィルタ３３１の前段，すなわちキャリア蒸気Ｄが触媒フィルタ３３１へ流入する方向を基準として，触媒フィルタ３３１の上流に位置する複数の単位ヒータ３０１と，触媒フィルタ３３１の一部もしくは全体を覆うバンドヒータ３０５，およびバンドヒータ３０５の一部もしくは全体を覆う断熱部材３０７で構成される。
【００４２】
冷却手段３５０は，誘導ファン３３５の後段，すなわちキャリア蒸気Ｄが触媒フィルタ３３１へ流入する方向を基準として，誘導ファン３３５の更に下流に位置し，湿式電子写真方式の画像形成装置２００（図２参照）が正常作動するよう内部熱を除去する役割を果たす。
【００４３】
上記の冷却手段３５０は，単位ヒータ３０１およびバンドヒータ３０５を通りながら加熱されたキャリア蒸気Ｄから熱を奪う冷却平板３５１ｂと，冷却平板３５１ｂの前面と背面とに突出して形成されている前面冷却ピン３５１ａと背面冷却ピン３５１ｃとで構成される。
【００４４】
なお，冷却効率を高めるために湿式電子写真方式の画像形成装置２００（図２参照）のケース３５２外部に背面冷却ファン３５５がさらに設けられる。
【００４５】
このような構成により，キャリア蒸気Ｄに含まれているオゾンは，矢印Ｅの方向に流れながら単位ヒータ３０１によって１次加熱される。
【００４６】
加熱されたキャリア蒸気Ｄに含まれたオゾンは，触媒フィルタ３３１を経て分解される。また，オゾンが分解される間，キャリア蒸気Ｄが冷却して発生する液体キャリアが触媒フィルタ３３１に結露するのを防ぐため，触媒フィルタ３３１を囲むバンドヒータ３０５は，キャリア蒸気Ｄを再び加熱する役割を果たす。
【００４７】
次に，オゾンが除去されたキャリア蒸気Ｘは，ホルダ部材３３７に設けられた誘導ファン３３５によって矢印Ｅの方向に密閉部材２９８（図２参照）の外部に放出される。密閉部材２９８（図２参照）の外部に放出されたキャリア蒸気Ｘに含まれる熱は，冷却平板３５１ｂの前面に突出した前面冷却ピン３５１ａにぶつかることで放熱される。
【００４８】
また，キャリア蒸気Ｘに含まれた一部の熱は，冷却平板３５１ｂを通じて伝達され，このように伝達された熱は，冷却平板３５１ｂの背面と背面冷却ピン３５１ｃを通じて，湿式電子写真方式の画像形成装置２００（図２参照）の外部に放熱される。
【００４９】
この時，背面冷却ファン３５５は熱を速やかに除去するため，一定にまたは間欠に駆動しながら，外部の冷たい空気Ｙを矢印Ｆ方向に引き込み，冷却平板３５１ｂの背面と背面冷却ピン３５１ｃに衝突させる役割を果たす。
【００５０】
図４Ａおよび図４Ｂは，図３のオゾン浄化ユニットの単位ヒータ部分を示す斜視図である。図４Ａを参照すれば，単位ヒータ３０１は，単位ヒータ３０１に電源を供給し，単位ヒータ３０１を囲む保持壁３０２の内部に設けられている。
【００５１】
単位ヒータ３０１は，キャリア蒸気Ｄが冷却されて発生する液体キャリアが触媒フィルタに付着するのを防ぐため，キャリア蒸気Ｄに熱を加える役割を果たす。このため，単位ヒータ３０１が緻密に構成されるように縦の間隔Ｉおよび横の間隔Ｊを可能な限り小さくし，短い時間で多くの熱がキャリア蒸気Ｄに伝達されるのが望ましい。
【００５２】
単位ヒータ３０１は，キャリア蒸気Ｄに円滑に熱を伝達するために，必ずしも図４Ａに示したようなウェブ状に形成する必要はなく，図４Ｂのように，蜂巣状に単位ヒータ３０１を形成することもできる。さらに，熱を円滑にキャリア蒸気Ｄに伝達するため，単位ヒータ３０１をウェブ状や蜂巣状以外の形態，例えば網目状などに変形することも可能であり，本発明において，単位ヒータの形状は，上記のものに限定されない。
【００５３】
図５は，図３の触媒フィルタとバンドヒータおよび断熱部材を示した斜視図である。
【００５４】
図５より，触媒フィルタ３３１は，バンドヒータ３０５によって周囲を覆われている。バンドヒータ３０５は，単位ヒータ３０１（図４Ａ参照）によって加熱されたキャリア蒸気Ｄが触媒フィルタ３３１と反応する際に，キャリア蒸気Ｄが触媒フィルタ３３１に結露するのを防ぐため，キャリア蒸気Ｄを再加熱する役割を果たす。
【００５５】
また，バンドヒータ３０５は，触媒フィルタ３３１に継続的に熱を加えることもできるが，キャリア蒸気の量に応じて間欠に熱を加えることもできる。
【００５６】
また，断熱部材３０７は，バンドヒータ３０５の一部もしくは全体を覆っており，バンドヒータ３０５から熱が漏れることを防止する役割を果たす。
【００５７】
断熱部材３０７は，断熱効果を高めるため，セラミック繊維からなる繊維質の断熱部材を用いるのが好ましいが，断熱部材の素材が上記のものに限定されるわけではない。
【００５８】
このような構成により，キャリア蒸気Ｄは，触媒フィルタ３３１と反応した後，オゾンが除去されたキャリア蒸気Ｘとなり，矢印Ｅの方向に触媒フィルタ３３１を通り抜ける。
【００５９】
図６は，図３の冷却手段を示した斜視図である。図６を参照すれば，冷却平板３５１ｂは，オゾンが除去されたキャリア蒸気Ｘから熱を奪い，湿式電子写真方式の画像形成装置２００（図２参照）の外部へ伝達する役割を果たす。
【００６０】
前面冷却ピン３５１ａおよび背面冷却ピン３５１ｃは，冷却のための表面積を大きくするために冷却平板３５１ｂから突出形成され，緻密に配置されるように隣り合うピンとの間隔Ｐおよび間隔Ｒを可能な限り小さくすることが好ましい。
【００６１】
背面冷却ピン３５１ｃの本数を前面冷却ピン３５１ａの本数より多くするほうが，湿式電子写真方式の画像形成装置２００（図２参照）の外部の冷たい空気Ｙが背面冷却ピン３５１ｃと広く接触できるようになるため，より好ましい。
【００６２】
冷却平板３５１ｂと前面冷却ピン３５１ａおよび背面冷却ピン３５１ｃは，熱伝導率を上げるために銅やアルミニウムのような金属材質で形成されるのが好ましい。だが，本発明において，冷却平板３５１ｂ，前面冷却ピン３５１ａ，背面冷却ピン３５１ｃの素材が，上記のものに限定されるわけではない。
【００６３】
このような構成により，キャリア蒸気Ｘに含まれていた熱Ｑが矢印Ｅの方向に進む間に，前面冷却ピン３５１ａおよび冷却平板３５１ｂとぶつかって除去される。なお，一部の熱Ｑは，矢印Ｋの方向に冷却平板３５１ｂを通過した後，背面冷却ピン３５１ｃと冷却平板３５１ｂの背面にぶつかる冷たい外部空気Ｙによって除去される。これにより，湿式電子写真方式の画像形成装置２００（図２参照）の内部は，湿式電子写真方式の画像形成装置２００（図２参照）が正常に稼動されるような適切な温度が維持されることとなる。
【００６４】
以上説明した通り，本発明の一実施形態により，画像形成過程で発生するキャリア蒸気を少量の酸化分解触媒を用いて経済的に浄化するための湿式電子写真方式の画像形成装置が提供される。
【００６５】
また，オゾンが含まれた化合物ガスを発生させる機械装置と同一のシステムに設けられ，触媒フィルタによってオゾンを捕集して，経済的かつ効率的に除去するためのオゾン除去ユニットを提供することも可能となる。
【００６６】
そのため，化合物ガスを発生させる機械装置のようなシステムにおいても，触媒の性能および寿命を低下させないオゾン浄化ユニットを提供することも可能となる。
【００６７】
以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００６８】
本発明のオゾン浄化ユニットは，複写機，プリンタ，複合機のような電子写真方式の画像形成装置に全て適用できる。
【図面の簡単な説明】
【００６９】
【図１】従来湿式電子写真方式の画像形成装置の概略図である。
【図２】本発明に係る湿式電子写真方式の画像形成装置の一実施形態を示した概略図である。
【図３】図２のオゾン浄化ユニットを示した概略図である。
【図４Ａ】図３のオゾン浄化ユニットの単位ヒータを示した斜視図である。
【図４Ｂ】図３のオゾン浄化ユニットの単位ヒータを示した斜視図である。
【図５】図３の触媒フィルタとバンドヒータおよび断熱部材の相互作用を示した斜視図である。
【図６】図３の冷却手段を示した斜視図である。
【符号の説明】
【００７０】
１００  画像形成装置
１１０  本体
１２１，１２２，１２３，１２４  感光ドラム
１３１，１３２，１３３，１３４  帯電ユニット
１４１，１４２，１４３，１４４  露光ユニット
１５１，１５２，１５３，１５４  現像ユニット
１７１，１７２，１７３，１７４  第１転写ローラ
１８０  第２転写ローラ
１９０  定着ユニット
１９５  酸化触媒ユニット
１９６  吸入通路
１９８  密閉部材
２００  画像形成装置
２１１，２１２，２１３，２１４  露光ユニット
２２１，２２２，２２３，２２４  感光ドラム
２２６，２２７，２２８，２２９  帯電ユニット
２３１，２３２，２３３，２３４  現像ユニット
２４０  転写ユニット
２４１  転写ベルト
２４２，２４３，２４４，２４５  第１転写ローラ
２４６  第２転写ローラ
２５０  定着ユニット
２６０  触媒ユニット
２７０  オゾン浄化ユニット
２９８  密閉部材
３０１  単位ヒータ
３０２  保持壁
３０５  バンドヒータ
３０７  断熱部材
３３１  触媒フィルタ
３３５  誘導ファン
３３７  ホルダ部材
３５０  冷却手段
３５１ａ  前面冷却ピン
３５１ｂ  冷却平板
３５１ｃ  背面冷却ピン
３５２  ケース
３５５  背面冷却ファン
【図１】
2005324191.tif 000003
【図２】
2005324191.tif 000004
【図３】
2005324191.tif 000005
【図４Ａ】
2005324191.tif 000006
【図４Ｂ】
2005324191.tif 000007
【図５】
2005324191.tif 000008
【図６】
2005324191.tif 000009